(57)【要約】  ＯＰＣ処理は光ディスク（１０）の外側ＯＰＣ領域（１２）で複数の書き込み速度ａ、ｂ及びｃで実行され、及びＯＰＣ処理はまた内側ＯＰＣ領域（１４）で内側ＯＰＣ領域１４の書き込み速度で実行される、最適化パワー較正処理。各速度の各ＯＰＣ処理により得られる最適化パワー（及び方式）は、次に書き込みパワーレベルを速度と適合する関数を生成する。全ての半径に対し正確な最適レーザーパワーを生成するため、２つのＯＰＣパワー係数が生成され得る。つまり、媒体変化パワー係数、速度パワー係数である。媒体変化パワー係数を生成するため、光ディスクの最内周部及び最外周部の両方から得られたＮｘ１  ＯＰＣ情報が利用される。また速度パワー係数を生成するため、ディスクの最外周部から得られたＮｘ１、Ｎｘ２、．．．、Ｎｘｍ情報が利用される。以上に説明された２つのパワー係数を利用し、全ての半径に対し所要の正確な制御が達成され得る。
2007531187.tif 000002
【特許請求の範囲】
【請求項１】
方法であって、光学式記憶装置に関し、光学式記憶装置にデータを書き込む前に最適化パワー制御を実行し、前記方法は：
ａ）前記光学式記憶装置の比較的小さい部分へのテスト書き込みの実行；及び
ｂ）前記テスト書き込みの実行中に前記光学式記憶装置に書き込まれたテストパターンの読み戻し、
による最適化パワー制御処理を実行する段階を有し；
前記光学式記憶装置の複数の回転線速度に関し、書き込み速度をパワーに割り付ける関数を得るよう、段階ａ）及びｂ）は、前記複数の回転線速度のそれぞれに対し、前記光学式記憶装置の実質的に同一の比較的小さい部分で実行される、最適化パワー制御実行方法。
【請求項２】
前記比較的小さい部分は、光学式記憶装置の最外周部を有する、請求項１記載の方法。
【請求項３】
最適化パワー制御処理は、前記光学式記憶装置の最内及び最外周部の両方で実行される、請求項１又は２記載の方法。
【請求項４】
前記最適化パワー制御処理は、前記最内周部に関連付けられた書き込み速度において実行される、請求項３記載の方法。
【請求項５】
パワー係数は、光学式記憶装置の前記最外周部で、複数の異なる書き込み速度において実行された最適化パワー制御の結果を利用して生成される、前記請求項の何れか１項記載の方法。
【請求項６】
光学式記憶装置は、ゾーン式線速度一定（ＺＣＬＶ）ディスク又は角速度一定（ＣＡＶ）ディスクを有する、前記請求項の何れか１項記載の方法。
【請求項７】
装置であって、光学式記憶装置に関し、光学式記憶装置にデータを書き込む前に最適化パワー制御を実行し、前記装置は、前記光学式記憶装置の比較的小さい部分へのテスト書き込みの実行及び前記光学式記憶装置の複数の回転線速度に関する前記テスト書き込みの実行中に前記光学式記憶装置に書き込まれたテストパターンの読み戻しによる最適化パワー制御処理を実行する手段を有し、書き込み速度をパワーに割り付ける関数を得るよう、前記複数の回転線速度のそれぞれに関するテスト書き込みは、前記光学式記憶装置の実質的に同一の比較的小さい部分で実行される、最適化パワー制御実行装置。
【請求項８】
方法であって、請求項１乃至６の何れか１項記載の方法を有する、光学式記憶装置へのデータ書き込み方法。
【請求項９】
装置であって、請求項７による最適化パワー制御を実行する装置を有する、光学式記憶装置へのデータ書き込み装置。
【発明の詳細な説明】
【技術分野】
【０００１】
本発明は、光学式記憶媒体の最適化パワー制御（ＯＰＣ）に関連し、より詳細には、光パワー制御（又は最適パワー較正）がディスクの外縁で実行される光ディスクへの書き込み方法及び装置に関する。
【背景技術】
【０００２】
コンパクトディスク（ＣＤ）のような光ディスクは、情報記録媒体の１つの種類として知られている。ＣＤの標準的な記録方式によると、ＣＤの記録領域は、リードイン領域、プログラム領域、及びリードアウト領域を有する。これらの領域は、その順序でＣＤの内縁から外縁へ向けて配置されている。目次（ＴＯＣ）として参照されるインデックス情報は、リードイン領域に記録される。ＴＯＣは、プログラム領域に記録された情報を管理するために利用されるサブコードとして管理情報を有する。例えば、プログラム領域に記録された主要な情報が楽曲に関する情報である場合、管理情報は、曲の演奏時間を有して良い。関連する楽曲のトラック番号に関連する情報がプログラム領域に記録されても良い。情報領域の終わりを示すリードアウトコードは、リードアウト領域に記録される。
【０００３】
ユーザーデータが記録される前に、テスト書き込みが媒体の小規模な部分に対して実行される。テスト書き込みは、種々のパワーレベル及び書き込みパルス波形で書き込む。テスト書き込みされたパターンを読み戻すことにより、ユーザーデータを記録するために最適なパワーレベル及びパルス波形が設定される。この処理は、「最適化パワー制御」又は「最適パワー較正」（ＯＰＣ）と称される。
【０００４】
より詳細には、ＯＰＣの手順は、最初に光ディスクに記録される推奨記録パワー（Ｐ０）の値を読み出す。次に、テスト記録が実行され、データは推奨記録パワー（Ｐ０）に基づく複数の記録パワーレベルを利用して記録される。これらのテスト記録は、光ディスクのパワー較正領域（ＰＣＡ）で実行される。このように記録されたテストデータの再生に基づき、光ディスクの最適化記録パワーが決定される。パワー較正領域（ＰＣＡ）はまた、一般に最適化パワー制御（ＯＰＣ）領域と称される。線速度一定（ＣＬＶ）方式ディスク場合、記録及び読み出し動作が実行される線速度は、ディスクのどのトラックが記録又は読み出されているかに関係なく一定である。ディスクは線速度一定に保たれるので、記録特性はディスク全体を通じて一定である。従って、ＰＣＡはＣＬＶ方式ディスクのデータ記録領域の内側領域に位置する１つの領域に維持される。
【０００５】
ゾーン式線速度一定（ＺＣＬＶ）方式と称される他の回転方式も一般的である。ＺＣＬＶ方式のディスクは、複数のゾーンに分割され、各ゾーン内で線速度一定（ＣＬＶ）で回転する。ＺＣＬＶディスクの角速度は、ディスクが異なるゾーンで記録又は読み出される時に変化する。光ディスクは角速度一定で回転する場合、そのディスクの線速度（つまり書き込み速度）はディスクの内側領域から外側領域へ向かって増大することが分かるだろう。角速度一定（ＣＡＶ）記録方式もまた知られている。
【０００６】
本発明は、書き込み速度が高くディスクの内径が小さいので、線速度（つまり書き込み速度）は主軸回転速度を許容範囲内に維持するために制限されなければならない、（再）書き込み可能な情報記憶システムに関連する。このようなシステムでは、全速力のディスクの内側でＯＰＣを行うことは不可能であり、従って、そこから正しいレーザーパワー（及び方式設定）を確定することは不可能である。
【０００７】
ＯＰＣがディスクの外側領域で実行される多くのシステムが提案されている。しかしながら、高速ＤＶＤ＋Ｒ媒体のような媒体は、ディスクの外側領域において書き込み（及び読み出し）に大きく関連した媒体の変化を示す。従って、単一のＯＰＣだけが実行され、それが低速でディスクの内側領域においてか又は高速で外側領域においてかに関わらず、ディスクの内側及び外側領域の間の全ての半径に対して正しいレーザーパワー（及び方式設定）を予測する関数を生成する場合、その予測は特に正確ではないだろう。
【０００８】
特許文献１は、情報の記録中に生じ得る温度変化を考慮するため、及び処理速度の低下を防止するため、光学式記憶装置に関しＯＰＣを実行する方法を記載している。記載された方法では、光学式記憶装置の温度変化が検出された場合は何時でも、新しいテスト記録が実行され、テスト記録は３個の領域、つまり最内縁区域、最外縁区域及び記録領域の中間領域に関し実行され得る。
【０００９】
特許文献２は、ディスク全体の記録特性に応じて、ＺＣＬＶ方式の光ディスクの領域に複数のテスト記録を作成すること及びテスト記録に基づき最適記録パワーを決定することにより、ゾーン式線速度一定（ＺＣＬＶ）方式光ディスクの最適記録パワーを決定する方法を記載している。記載された方法では、２つの（異なる）ＯＰＣ領域が、ディスクの角速度一定（ＣＡＶ）の各ゾーンで変化する記録パワーで書き込まれる。
【特許文献１】欧州特許出願第０９０５６８５号明細書
【特許文献２】米国特許第６０５２３４７号明細書
【発明の開示】
【発明が解決しようとする課題】
【００１０】
本発明の目的は、光学式記憶装置でＯＰＣを実行する方法及び装置を提供することである。本方法及び装置では、内側と外側領域の間のディスクの有意であり得る変化は、書き込み速度をパワー（及び方式）に割り付ける関数から除去される。
【課題を解決するための手段】
【００１１】
本発明によると、光学式記憶装置に関する、光学式記憶装置にデータを書き込む前に最適化パワー制御を実行する方法が提供される。前記方法は：
ａ）前記光学式記憶装置の比較的小さい部分へのテスト書き込みの実行；及び
ｂ）前記テスト書き込みの実行中に前記光学式記憶装置に書き込まれたテストパターンの読み戻し、
による最適化パワー制御処理を実行する段階を有し；
前記光学式記憶装置の複数の回転線速度に関し、書き込み速度をパワーに割り付ける関数を得るよう、段階ａ）及びｂ）は、前記複数の回転線速度のそれぞれに対し、前記光学式記憶装置の実質的に同一の比較的小さい部分で実行される。
【００１２】
また本発明によると、光学式記憶装置に関し、光学式記憶装置にデータを書き込む前に最適化パワー制御を実行する装置が提供される。前記装置は、前記光学式記憶装置の比較的小さい部分へのテスト書き込みの実行及び前記光学式記憶装置の複数の回転線速度に関する前記テスト書き込みの実行中に前記光学式記憶装置に書き込まれたテストパターンの読み戻しによる最適化パワー制御処理を実行する手段を有し、書き込み速度をパワーに割り付ける関数を得るよう、前記複数の回転線速度のそれぞれに関するテスト書き込みは、前記光学式記憶装置の実質的に同一の比較的小さい部分で実行される。
【００１３】
本発明は、光学式記憶装置にデータを書き込む方法に及び、以上に説明された最適化パワー制御を実行する方法を包含する。本発明はまた、光学式記憶装置にデータを書き込む装置に及び、以上に説明された最適化パワー制御を実行する装置を包含する。
【００１４】
好適な実施例では、比較的小さい部分は、光学式記憶装置の最外周部を有する。有利なことに、第１のパワー係数は、光学式記憶装置の最内周部及び最外周部の両方において、望ましくは最内周部に関連付けられた書き込み速度において実行された最適化パワー制御の結果を利用して生成される。更に望ましくは、第２のパワー係数は、光学式記憶装置の前記最外周部で、複数の異なる書き込み速度において実行された最適化パワー制御の結果を利用して生成される。光学式記憶装置は、ゾーン式線速度一定（ＺＣＬＶ）ディスク又は角速度一定（ＣＡＶ）ディスクを有して良い。
【発明を実施するための最良の形態】
【００１５】
本発明の以上の及び他の態様は、以下に説明される実施例を参照した説明から明らかであろう。
【００１６】
本発明の実施例は、例として以下の図を参照し説明される。
【００１７】
以上に説明されたように、本発明の目的は、光学式記憶装置でＯＰＣを実行する方法及び装置を提供することである。本方法及び装置では、内側と外側領域の間のディスクの有意であり得る変化は、書き込み速度をパワー（及び方式）に割り付ける関数から除去される。本発明は、ディスクの内側領域における書き込み速度が、ディスクの他の如何なる場所の書き込み速度より遅い、（再）書き込み可能な情報記憶システムに適用する。これは、書き込み速度が高くディスクの内径が小さいので、主軸モーター回転速度を許容範囲内に維持するために線速度（つまり書き込み速度）が制限されなければならない、光学式記憶システム（例えばＣＤ、ＤＶＤ）の場合である。このようなシステムでは、ＯＰＣをディスクの内側区域において全速力で行うことは不可能である。この問題を克服するため、ＯＰＣがディスクの外側区域で実行される多くのシステムが提案されている。
【００１８】
本発明は、ＤＶＤ＋Ｒ（例えば４倍速の媒体で８倍速、又は８倍速の媒体で８倍速）のような高速光媒体は、外側（例えば、ベータ）において有意な書き込み（及び読み出し）に関連した媒体の変化を示す。これは、従来のように、単に最内周部で低速ＯＰＣを及び最外周部で高速ＯＰＣを利用し書き込み速度をパワー（書き込み方式）に関連付けることが、この変化のためにディスクを通じて確実に動作しないことを意味する。本発明はまた、光ディスクの実質的に同一の場所に、最小速度（望ましくは光ディスクの最内周部における線速度）及び最大速度（望ましくは光ディスクの最外周部における線速度）の間の複数の対応する書き込み速度において複数のテスト記録を実行することを提案する。
【００１９】
本発明による主な改善は、異なる線速度におけるテスト記録がディスクの同一の位置において実行されるので、内側と外側のディスクの変化が、書き込み速度をパワー（及び方式）に割り付ける関数から除去され得ることである。この場合にＯＰＣを実行するためにディスクで最も論理にかなった場所は、最外周部である。何故なら、最外周部は、全ての可能な書き込み速度を包含し、及び大抵のシステムに共通の連続したアクティブデータ領域に支障を来さないからである。ＭＲＷシステム（マウントリニア）では、このようなＯＰＣが外側から内側へも同様に置換領域ゾーンで実行され得る変形も可能である。
【００２０】
図２を参照する。光学式記憶ディスク１０は、外側ＯＰＣ領域と示される最外周部１２、内側ＯＰＣ領域と示される最内周部１４、及び２つのＯＰＣ領域１２、１４の間のデータ領域１６を有する。データ領域１６は、内側ＯＰＣ領域１４に隣接する低速書き込み領域１８（内側ＯＰＣ領域１４の超過速度係数と同一の超過速度係数Ｎｘ１を有する）及び外側ＯＰＣ領域１２に隣接する最大速度書き込み領域２０（超過速度係数Ｎｘｍを有する）を有する、ユーザーデータを格納する複数の書き込み領域を有する。内側ＯＰＣ領域１４内では、ＯＰＣは書き込み速度Ｎｘ１でのみ実行され得る。一方、外側ＯＰＣ領域１２内では、ＯＰＣは全ての書き込み速度Ｎｘ１、Ｎｘ２、．．．Ｎｘｍで実行され得る。
【００２１】
図１を参照する。本発明の例である実施例による方法では、最初にＯＰＣ処理は外側ＯＰＣ領域１２で複数の書き込み速度ａ、ｂ及びｃで実行され、そしてＯＰＣ処理はまた内側ＯＰＣ領域１４で内側ＯＰＣ領域１４の書き込み速度で実行される。如何なる所与の書き込み速度のＯＰＣも、当業者に知られている処理であり、このＯＰＣでは、最初に複数のパワーレベル及び／又は方式のタイミング／形式が利用されテストデータが書き込まれる。この時、書き込み品質に関連するパラメータが記録され得る。テストデータは、次に読み戻され可読性又は書き込み品質（例えば、ＢＬＥＲ、ジッタ、ベータ、ガンマ）を判断される。この手順では、調整及びフィルタリング技術を用い所与の速度の最適なパワーを得ることが一般的である。
【００２２】
本発明のこの例である実施例では、従来技術に対する有意な進歩は、各速度に対して得られる最適化パワー（及び方式）が利用され書き込みパワーレベルを速度と適合させる関数を生成することである。望ましい調整関数は、可能な速度範囲（ｈｉｇｈ＜＝２．５ｘｌｏｗ）、媒体及び可能なテスト速度数が与えられた場合、直線回帰である。
【００２３】
更に図３ａ、３ｂ及び４を参照すると、超過速度係数Ｎｘとディスク半径Ｒの間の関係は次の通りである。
【００２４】
【数１】
2007531187.tif 000003
ここで、Ｎｘは超過速度係数、Ｒはディスク半径、Ｆｄｉｓｃはディスクの回転周波数、Ｖ１ｘは線形速度である。超過速度係数Ｎｘはディスク半径の関数として増加する。
【００２５】
ディスクに特定の超過速度係数Ｎｘ２、所与の最大回転周波数（例えば、８０Ｈｚ）で書き込みが要求された場合を検討する。簡単な解決法は、（ディスクの残りの外側領域のために）Ｎｘ２の利用が許可される半径に達するまで、ディスク１０のＯＰＣ領域１４の低速（Ｎｘ１）で書き込むことである。
【００２６】
正確な最適パワーを生成するため、２つのＯＰＣパワー係数が生成される。１つは媒体変化に関し、もう１つは速度に関する。媒体変化のパワー係数を生成するため、内側及び外側のディスク半径からのＮｘＯＰＣ情報が利用される。速度パワー係数を生成するため、外側半径からのＮｘ１及びＮｘ２情報を利用する。
【００２７】
例えば、ＺＣＬＶ（ディスクの内側から外側への順次書き込み）は、最大ディスク回転周波数ｆｍａｘを有する３個の異なる速度／ゾーン（Ｎｘ１、Ｎｘ２及びＮｘ３）で特徴付けられる（電力消費を低減する用途向け、例えばノートパソコン）。
【００２８】
ディスクの内側におけるＯＰＣからの最適な書き込みパワーは、（ＰＮｘ１）ｉｎである。
【００２９】
変化Ｒ１におけるゾーン２の書き込みパワーは次の通り計算される。
【００３０】
【数２】
2007531187.tif 000004
ここで
【００３１】
【数３】
2007531187.tif 000005
【００３２】
【数４】
2007531187.tif 000006
である。
【００３３】
変化Ｒ２におけるゾーン３の書き込みパワーは次の通り計算される。
【００３４】
【数５】
2007531187.tif 000007
ここで
【００３５】
【数６】
2007531187.tif 000008
【００３６】
【数７】
2007531187.tif 000009
である。
【００３７】
本発明の好適な実施例では、全ての半径に対し正確な最適レーザーパワーを生成するため、以下の２つのＯＰＣパワー係数が生成され得る。
−  媒体変化パワー係数
−  速度パワー係数
媒体変化パワー係数を生成するため、光ディスクの最内周部及び最外周部の両方から得られたＮｘ１  ＯＰＣ情報が利用される。また速度パワー係数を生成するため、ディスクの最外周部から得られたＮｘ１、Ｎｘ２、．．．、Ｎｘｍ情報が利用される。以上に説明された２つのパワー係数を利用し、全ての半径に対し所要の正確な制御が達成され得る。この改善されたＯＰＣ方法は、書き込み／読み出し処理の信頼性を増大し、また少なくともディスクの最内周部における書き込み速度が他の如何なる場所より遅い（再）書き込み可能な情報記憶システム、特に光学式記憶システムに適用可能である。
【００３８】
本発明は好適な実施例を参照して説明されたが、当業者には、特許請求の範囲に記載された本発明の精神と範囲から逸脱することなく、説明された実施例に変更及び変更がされ得ることが明らかであろう。更に、請求項では、括弧内の如何なる参照符号も、請求項を制限すると見なされるべきではない。「有する」の表現は、請求項に記載された以外の構成要素又は段階の存在を排除するものではない。単数の表記は、複数を排除するものではない。本発明は、複数の個別の要素を有するハードウェアにより、及び適切に設定されたコンピューターにより実施され得る。複数の手段を列挙した装置の請求項では、これら複数の手段は、１つ及び同一のハードウェア要素により実施され得る。手段が相互に異なる独立請求項で引用されることは、これら手段の組み合わせが効果的に利用できないことを示すものではない。
【図面の簡単な説明】
【００３９】
【図１】本発明の実施例による方法の基本的段階を説明するフロー図である。
【図２】種々の領域を識別する光学式記憶装置の平面図である。
【図３ａ】ディスク回転周波数のディスク半径に対する変化を表すグラフである。
【図３ｂ】超過速度係数Ｎｘのディスク半径に対する変化を表すグラフである。
【図４】本発明の実施例による方法の適用の間の光学式記憶装置の種々のゾーンを説明するフロー図である。
【図１】
2007531187.tif 000010
【図２】
2007531187.tif 000011
【図３ａ】
2007531187.tif 000012
【図３ｂ】
2007531187.tif 000013
【図４】
2007531187.tif 000014
【国際調査報告】
2007531187.tif 000015
2007531187.tif 000016
2007531187.tif 000017